(57)【要約】【目的】引出しの収納スペースを仕切る仕切壁が２重となるのをできるだけ少なくし、引出しの有するスペースに対する実質的な収納スペースの減少を抑制するとともに、コストの低減が可能で、仕切空間の向きや形状が、組み合わせにより多様な要求に応えることが可能な、仕切ユニットを用いた引出しを提供しようとするものである。【構成】少なくとも長方形の底板とその長辺側に垂設された側板とを有し、長手方向両端若しくは片端が開放した単種類又は複数種類の複数の仕切ユニットを、引出しの仕切ユニット収納空間に互いに接近させて配するとともに、前記仕切ユニットの開放端を他の仕切ユニットの側板又は前記仕切ユニット収納空間を構成する壁面部若しくは他の仕切ユニットの開放端に接合して構成する。【選択図】    図４
2004321674.tif 000002
【特許請求の範囲】
【請求項１】
少なくとも長方形の底板とその長辺側に垂設された側板とを有し、長手方向両端若しくは片端が開放した単種類又は複数種類の複数の仕切ユニットを、引出しの仕切ユニット収納空間に互いに接近させて配するとともに、前記仕切ユニットの開放端を他の仕切ユニットの側板又は前記仕切ユニット収納空間を構成する壁面部若しくは他の仕切ユニットの開放端に接合したことを特徴とする引出し。
【請求項２】
前記底板の短辺の長さの整数倍を前記底板の長辺の長さとした主仕切ユニットと、前記底板の長辺の長さを前記主仕切ユニットの長辺の長さと同じとするとともに、前記底板の短辺の長さを前記主仕切ユニットの短辺の長さと異なる長さとした副仕切ユニットとの、一方又は双方を複数組み合わせてなる請求項１記載の引出し。
【請求項３】
前記主仕切ユニットの長辺の長さを該主仕切ユニットの短辺の長さの２倍としてなる請求項２記載の引出し。
【請求項４】
前記主仕切ユニット及び前記副仕切ユニットの底板の長辺側に垂設された側板と同じ高さの側板を、該底板の短辺の一方側に垂設してなる請求項２又は３記載の引出し。
【発明の詳細な説明】
【０００１】
【発明の属する技術分野】
この発明は、机やキャビネット等に備えられた引出しの内部の収納空間に、仕切ユニットを配設した引出しに関するものである。
【０００２】
【従来の技術】
机やキャビネット等に備えられた引出しの中に小物を収納すると、引出しの中の収納空間が小物に比べて大きいため、引出しの開け閉めの際に、この小物が引出し内を移動するので、取り出す際に探さなければならない等手間を要することになる。そこで、従来、特許文献１に記載されているような箱形のトレーを引出しの収納空間に収納して、このトレーに小物を収納するようにしている。
【０００３】
【特許文献１】
実開昭５９−６０９５３号公報（図３）
【０００４】
【発明が解決しようとする課題】
しかし、上記の箱形のトレーは、箱形であることから、トレーが隣接する部分は、トレーの側壁が２重となり、引出しの有するスペースに対する実質的な収納スペースが減少するのみならず、２重となる側壁の一方を形成するためのコストが余分にかかっている結果となっていた。又、複数の上記の箱形のトレーを同じ向きに並べて引出しの中に配置することにより、複数の仕切空間を設けていたが、この方法では、仕切空間の向きや形状が画一的となり、多様な要求に応えることができなかった。又、上記の箱形のトレーでは、その大きさが固定されており仕切空間の大きさを変更できないことから、収納するものの大きさが制限されるという不都合が生じていた。
そこで、この発明はこのような問題点を解決するためになされたものであって、引出しの収納スペースを仕切る仕切壁が２重となるのをできるだけ少なくし、引出しの有するスペースに対する実質的な収納スペースの減少を抑制するとともに、コストの低減が可能で、しかも仕切空間の向きや形状が、組み合わせにより多様な要求に応えることが可能な仕切ユニットを用いた引出しを提供しようとするものである。
【０００５】
【課題を解決するための手段】
本発明の引出しは、少なくとも長方形の底板とその長辺側に垂設された側板とを有し、長手方向両端若しくは片端が開放した単種類又は複数種類の複数の仕切ユニットを、引出しの仕切ユニット収納空間に互いに接近させて配するとともに、前記仕切ユニットの開放端を他の仕切ユニットの側板又は前記仕切ユニット収納空間を構成する壁面部若しくは他の仕切ユニットの開放端に接合したことを特徴としている。
【０００６】
本発明の引出しでは、該引出しの前記底板の短辺の長さの整数倍を前記底板の長辺の長さとした主仕切ユニットと、前記底板の長辺の長さを前記主仕切ユニットの長辺の長さと同じとするとともに、前記底板の短辺の長さを前記主仕切ユニットの短辺の長さと異なる長さとした副仕切ユニットとの、一方又は双方を複数組み合わせるようにするのが便宜である。ここで、前記主仕切ユニットの長辺の長さを該主仕切ユニットの短辺の長さの２倍とすることにより、主仕切ユニット相互の組み合わせ或いは主仕切ユニットと副仕切ユニットとの多様な組み合わせを構成することができる。
【０００７】
又、前記主仕切ユニット及び前記副仕切ユニットの底板の長辺側に垂設された側板と同じ高さの側板を、該底板の短辺の一方側に垂設することで、本発明の引出しを使用しやすくすることができる。
【０００８】
【発明の実施の形態】
次に、本発明の実施例につき、図面に基づき詳しく説明する。図１は、本実施例の引出しに使用される主仕切ユニット１１の外観図である。図１において、この主仕切ユニット１１は、短辺の長さがｄ１で、長辺の長さがｄ２の長方形の底板１１ａと、この底板１１ａの両長辺に垂設された高さがｄ３の長方形の側板１１ｂとで構成されており、この主仕切ユニット１１の長手方向両端は、開放端１１ｃとなっている。ここで、長辺の長さｄ２は、短辺の長さｄ１の２倍としている。又、この主仕切ユニット１１のほか、この主仕切ユニット１１と短辺の長さのみが異なる副仕切ユニット１２を用いている（図１参照）。即ち、この副仕切ユニット１２は、短辺の長さがｄ４で、長辺の長さがｄ２の長方形の底板１２ａと、この底板１２ａの両長辺に垂設された高さがｄ３の長方形の側板１２ｂとで構成されており、この副仕切ユニット１２の長手方向両端は、開放端１２ｃとなっている。この副仕切ユニット１２の短辺の長さｄ４は、本実施例では、主仕切ユニット１１の短辺の長さｄ１より短くしているが、ｄ１より長くするようにしてもよい。又、主仕切ユニット１１及び副仕切ユニット１２の高さｄ３は、これらの仕切ユニットが使用される後述の引出しの収納スペース空間の高さと同じとしているが、この収納スペース空間の高さよりも低くするようにしてもよい。
【０００９】
本発明の実施例は、上記の主仕切ユニット１１と副仕切ユニット１２を組み合わせて、机の引出しの収納スペースに配設している。図２は上記の２種類の仕切ユニットを配設する引出し１を上から見た平面図である。図２において、引出し１は、正方形状の引出し底板７と、その周囲に設けられた、引出し前板２、引出し後板３、引出し左側板４、引出し右側板５、引出し前部飾板６、及び、引出し仕切板８で構成されている。引出し前部飾板６はこの引出しが使用される机の形状に合わせるための飾板である。この引出し１の収納スペースの幅はＬ１であり、奥行は、Ｌ２であるが、この奥行Ｌ２は幅Ｌ１と同じである。
【００１０】
本実施例では、引出し１の収納スペースには、この収納スペースを前後に仕切る引出し仕切板８を設けている。これは、一般に、引出し１に収納する小物類は取り出しやすくするため、引出しの収納スペースの手前側に収納されるが、本実施例においても、この一般的な方式に基づくようにするためである。即ち、引出し前板２、引出し左側板４、引出し仕切板８、及び、引出し右側板５で囲まれた空間、つまり、引出し１の収納スペースの手前の空間に、上記の主仕切ユニット１１と副仕切ユニット１２を組み合わせて配設しており、この空間を本実施例における仕切ユニット収納空間９と称する。又、引出し仕切板８の高さは、主仕切ユニット１１および副仕切ユニット１２の高さと同じｄ３としている。
【００１１】
上記の引出し１の仕切ユニット収納空間９に、主仕切ユニット１１と副仕切ユニット１２を配設する際、本実施例では、主仕切ユニット１１と副仕切ユニット１２の長辺の長さが同じｄ２であるので、これらをともに縦向きにして縦方向に出っ張ること無く横方向に並べることができ、又、主仕切ユニット１１の長辺がその短辺の２倍であるため、主仕切ユニット１１を縦向きにしたものと横向きにしたものを隣接させて略隙間無く配設することができる。又、これらのユニットを縦向き或いは横向きにすることにより、主仕切ユニット１１の開放端１１ｃや副仕切ユニット１２の開放端１２ｃを、他の主仕切ユニット１１の側板１１ｂの側面や、引出し１の引出し前板２、引出し左側板４、引出し仕切板８、或いは、引出し右側板５に当接することができる。それ故、主仕切ユニット１１の開放端側、或いは、副仕切ユニット１２の開放端側にも仕切壁が形成されるので、周りを仕切壁で囲まれた収納用のスペースを形成することができる。又、主仕切ユニット１１の開放端１２ｃを他の主仕切ユニット１１の開放端１２ｃに、双方の底板１２ａ及び側板１２ｂが連なるように当接させて配設することにより、主仕切ユニット１１の２個分のスペースを主仕切ユニット１１の長手方向に接続して形成することもできる。本実施例では、これらの点を活用して、主仕切ユニット１１及び副仕切ユニット１２を、これらの仕切ユニットが引出し１の仕切ユニット収納空間９内で移動しないように、略隙間なく接合させて仕切ユニット収納空間９に配設している。
【００１２】
仕切ユニット収納空間９の幅Ｌ１は、引出し１の収納スペースの幅と同じで、この幅Ｌ１は、主仕切ユニット１１の短辺の長さｄ１を４倍してさらに副仕切ユニット１２の短辺の長さｄ４を加えた合計の長さに略等しくしている。又、上述したとおり、主仕切ユニット１１の長辺の長さｄ２は主仕切ユニット１１の短辺の長さｄ１の２倍であるから、この仕切ユニット収納空間９に、まず、副仕切ユニット１２を縦向きに１個配設した後、残りのスペースに、主仕切ユニット１１を縦向きにした場合は、横方向に４個並べて、副仕切ユニット１２とともに略隙間無く接合させて配設でき（図３（ａ）参照）、主仕切ユニット１１を横向きにした場合は、横方向に２個並べてこれを前後に２列にして、副仕切ユニット１２とともに略隙間無く接合させて配設することができる（図５（ｅ）参照）。しかし主仕切ユニット１１と副仕切ユニット１２とを組み合わせた配設パターンはこれには限られない。そこで、上記の配設パターンも含めて、本実施例で使用している主仕切ユニット１１と副仕切ユニット１２とを組み合わせた配設パターンについて次に説明する。図３（ａ）〜（ｅ）、図４（ａ）〜（ｅ）、及び、図５（ａ）〜（ｅ）は、種々の配設パターンを用いて主仕切ユニット１１と副仕切ユニット１２とを配設した引出し１の平面図である。
【００１３】
図３（ａ）は、仕切ユニット収納空間９の左端側に副仕切ユニット１２を縦向きに１個配設し、その右横に４個の主仕切ユニット１１を縦向きにして順に配設したものである。この場合、主仕切ユニット１１の開放端１１ｃと副仕切ユニット１２の開放端１２ｃは、それらの一方が引出し前板２に当接し他方が引出し仕切板８に当接している。図３（ｂ）〜（ｅ）は、図３（ａ）において副仕切ユニット１２の向きはそのままでその配設位置を変更した各種の配設パターンを示している。
【００１４】
図４（ａ）は、仕切ユニット収納空間９の左端側に主仕切ユニット１１を横向きにして２個を前後に２列に配設し、その右側に１個の副仕切ユニット１２と２個の主仕切ユニット１１を縦にして順に配設したものである。この場合は、仕切ユニット収納空間９の左端側に配設された主仕切ユニット１１の開放端１１ｃは一方が副仕切ユニット１２の側板１２ｂに当接し、他方が引出し左側板４に当接しており、その他の開放端は上記の例と同じである。図４（ｂ）は、図４（ａ）において副仕切ユニット１２の配設位置を変更し、仕切ユニット収納空間９の右端に配設したものであり、仕切ユニット収納空間９の左端側に配設された主仕切ユニット１１の一方の開放端１１ｃは、主仕切ユニット１１の側板１１ｂに当接している。これらと同様に、図４（ｃ）〜（ｅ）は、主仕切ユニット１１を横向きに前後に２列に配設しており、その左右に２個の主仕切ユニット１１と１個の副仕切ユニット１２を縦にして配設したものである。又、図５（ａ）〜（ｃ）は、仕切ユニット収納空間９の右端側に主仕切ユニット１１を横向きに２個前後に２列に配設し、その左側に１個の副仕切ユニット１２と２個の主仕切ユニット１１をともに縦にして配設したものであり、副仕切ユニット１２の配設位置を変えたものである。
【００１５】
図５（ｄ）は、仕切ユニット収納空間９の左端側及び右端側にそれぞれ２個の主仕切ユニット１１を横向きにして前後に２列に配設し、左端側に配設された主仕切ユニット１１と右端側に配設された主仕切ユニット１１との間に、１個の副仕切ユニット１２を縦向きにして配設したものである。この場合は、主仕切ユニット１１のいずれか一方の開放端１１ｃはともに副仕切ユニット１２の側板１２ｂに当接し、他方の開放端１１ｃは、引出し左側板４又は引出し右側板５に当接している。
【００１６】
図５（ｅ）は、仕切ユニット収納空間９の左端側に副仕切ユニット１２を縦向きに１個配設し、その右横に２個の主仕切ユニット１１を横向きにして横方向に並べたものを前後に２列に配設したものである。この場合は２個の主仕切ユニット１１の一方の開放端１１ｃは、残りの主仕切ユニット１１の開放端１１ｃと、双方の底板１２ａ及び側板１２ｂが連続するように当接しており、収納スペースとして、主仕切ユニット１１の２個分のスペースを主仕切ユニット１１の長手方向に接続して形成している。この場合は、鉛筆やボールペン等の細長い物の収納に便利な収納空間を形成することができる。
【００１７】
上記の実施例によれば、主仕切ユニット１１と副仕切ユニット１２を縦向き或いは横向きにして組み合わせて略隙間無く接合させて配設し、主仕切ユニット１１の開放端１１ｃや副仕切ユニット１２の開放端１２ｃを、他の主仕切ユニット１１の側板１１ｂの側面や、引出し１の引出し前板２、引出し左側板４、引出し仕切板８、或いは、引出し右側板５に当接しているので、主仕切ユニット１１の開放端側、或いは、副仕切ユニット１２の開放端側にも仕切壁が形成される。そのため、周りを仕切壁で囲まれた収納用のスペースを形成することができるとともに、主仕切ユニット１１や副仕切ユニット１２の開放端側の仕切壁が２重にならず、２重化に伴うスペースの減少を抑制することができる。又、主仕切ユニット１１や副仕切ユニット１２の形状は箱形のトレーに比べてシンプルなので、製作も容易で、コストを低減することができる。又、図３（ａ）〜（ｅ）、図４（ａ）〜（ｅ）、及び、図５（ａ）〜（ｅ）からもわかるように、多様な配設パターンを用いることができ、多様な要求に応えることが可能な仕切ユニットを用いた引出しを構成することができる。
【００１８】
上記で説明した実施例では、引出し１の仕切ユニット収納空間９に配設する主仕切ユニット及び副仕切ユニットとしては、ともに長手方向に開放端を有する図１の主仕切ユニット１１と副仕切ユニット１２とを用いているが、これらの仕切ユニットに替えて、これらの仕切ユニットと外形寸法が全く同じで、いずれか一方の片端に側板を備えた仕切ユニットを用いるようにしてもよい。図６は、このような形状の主仕切ユニット２１の外観図であり、主仕切ユニット２１の一方の片端には短辺側板２１ｄが備えられている。又、主仕切ユニット２１とともに、この主仕切ユニット２１と短辺の長さのみが異なる副仕切ユニット２２を用いる。この副仕切ユニット２２の一方の片端には短辺側板２２ｄが備えられている（図６参照）。これらの主仕切ユニット２１及び副仕切ユニット２２の形状、寸法は、上述のとおり、図６に示すように主仕切ユニット１１及び副仕切ユニット１２と全く同じである。
【００１９】
主仕切ユニット２１及び副仕切ユニット２２を引出し１の仕切ユニット収納空間９に配設する場合、図３（ａ）〜（ｅ）、図４（ａ）〜（ｅ）、及び、図５（ａ）〜（ｅ）において、主仕切ユニット１１を主仕切ユニット２１に、副仕切ユニット１２を副仕切ユニット２２にそれぞれ置き換えることで、上述したのと同様の配設パターンによる小さいエリアに仕切られた収納用のスペースを形成することができる。しかし、更に、引出し１の収納スペースを仕切っている引出し仕切板８に、主仕切ユニット１１の開放端１１ｃ又は副仕切ユニット１の開放端１２ｃが当接する配設パターンにより、主仕切ユニット２１及び、副仕切ユニット２２を配設する場合、主仕切ユニット２１の短辺側板２１ｄを、或いは、副仕切ユニット２２の短辺側板２２ｄを引出し仕切板８に当接させることにより、この引出し仕切板８の高さを、低くすることができる。このような場合としては例えば、図３（ａ）
〜（ｅ）の配設パターンを用いる場合が該当する。
【００２０】
或いは、副仕切ユニット２２及び、主仕切ユニット１１と主仕切ユニット２１とを混在して用いるようにしてもよい。例えば、図４（ｂ）の配設パターンを用いる場合、仕切ユニット収納空間９の左端側に配設する２個の横向きの主仕切ユニットには主仕切ユニット１１を用い、その右側に配設される主仕切ユニットには主仕切ユニット２１を、その短辺側板２２ｄが引出し仕切板８に当接するようにして用いるようにする。そうすると、仕切ユニット収納空間９の左端側に配設する主仕切ユニット１１の開放端は、隣接する主仕切ユニット１１の側板１１ｂ、或いは、引出し左側板４に当接するので、この部分の仕切壁が２重となることは無く、又、引出し仕切板８に当接する主仕切ユニット２１の短辺側板２２ｄが仕切壁となるので、高さの低い引出し仕切板８でよいことになる。
【００２１】
上記の実施例において、クリップ等のかなり小さい小物を収納するとともに取り出しやすくするのに、仕切ユニット収納空間９に配設される各仕切ユニットの内部空間を、更に小型の内部仕切板で仕切るようにしてもよい。図７は、このような仕切ユニットを用いた例を示したものであり、図７（ａ）は、図４（ｃ）に用いられている主仕切ユニット１１に小型内部仕切板３１を用いたものであり、図７（ｂ）は、図５（ｅ）に用いられている主仕切ユニット１１に小型内部仕切板３１を用いたものである。
【００２２】
上述した実施例では、引出し１の仕切ユニット収納空間９の幅、即ち、引出し１の収納スペースの幅Ｌ１は、主仕切ユニット１１の短辺の長さｄ１を４倍してさらに副仕切ユニット１２の短辺の長さｄ４を加えた合計の長さと略等しいが、引出し１の収納スペースの幅Ｌ１が、主仕切ユニット１１の短辺の長さｄ１の整数倍であれば、主仕切ユニット１１のみを用いて仕切ユニット収納空間９に配設することができる。これは主仕切ユニット２１を用いる場合も同様であり、主仕切ユニット１１と主仕切ユニット２１を混在して用いる場合も同様である。机やキャビネット等が規格に基づいて製作される場合は、主仕切ユニットの短片の長さの整数倍が、規格に基づく引出しの収納スペースの幅になるように、主仕切ユニットの短片の長さを設定することにより、１種類の主仕切ユニット２１で各種の配設パターンを実現することができる。
【００２３】
しかし、一般に、引出しの収納スペースの幅はさまざまである。そこで、このような場合に、主仕切ユニットと、短辺がこの主仕切ユニットの短辺と異なる副仕切ユニットの双方を用いる上述した方法が有効である。即ち、引出しの収納スペースの幅を１種類製作する主仕切ユニットの短辺の長さで分割して、余りが出る場合に、この余りの長さを短辺とする副仕切ユニットを製作するのである。即ち、この副仕切ユニットを収納スペースの幅寸法の異なる引出し毎に、製作することにより、これらの副仕切ユニットと上記の１種類の主仕切ユニットとで、収納スペースの幅寸法の異なる引出しの全てに対して対応することができる。
【００２４】
上記の実施例では、主仕切ユニットの長辺の長さをその短片の長さの２倍としているが、これには限られず、主仕切ユニットの長辺の長さがその短片の長さの整数倍であれば、その主仕切ユニットを上記の実施例とほぼ同様にして使用することができる。
【００２５】
【発明の効果】
以上述べたように、本発明によれば、少なくとも長方形の底板とその長辺側に垂設された側板とを有し、長手方向両端若しくは片端が開放した単種類又は複数種類の複数の仕切ユニットを、引出しの仕切ユニット収納空間に互いに接近させて配するとともに、前記仕切ユニットの開放端を他の仕切ユニットの側板又は前記仕切ユニット収納空間を構成する壁面部若しくは他の仕切ユニットの開放端に接合しているので、引出しの収納スペースを仕切る仕切壁が２重となるのをできるだけ少なくし、引出しの有するスペースに対する実質的な収納スペースの減少を抑制するとともに、コストの低減が可能で、仕切空間の向きや形状が、組み合わせにより多様な要求に応えることが可能な、仕切ユニットを用いた引出しを提供することができる。
【図面の簡単な説明】
【図１】本実施例に使用される主仕切ユニット及び副仕切ユニットの外観図である。
【図２】本実施例の引出しの平面図である。
【図３】（ａ）〜（ｅ）は本実施例の仕切ユニット配設パターンを用いた引出しの平面図（その１）である。
【図４】（ａ）〜（ｅ）は本実施例の仕切ユニット配設パターンを用いた引出しの平面図（その２）である。
【図５】（ａ）〜（ｅ）は本実施例の仕切ユニット配設パターンを用いた引出しの平面図（その３）である。
【図６】本実施例に使用される他の主仕切ユニット及び副仕切ユニットの外観図である。
【図７】（ａ），（ｂ）は小型内部仕切板を備えた主仕切ユニットを用いた引出しの平面図である。
【符号の説明】
１    引出し                                    ２    引出し前板
３    引出し後板                            ４    引出し左側板
５    引出し右側板                        ６    引出し前部飾板
７    引出し底板                            ８    引出し仕切板
９    仕切ユニット収納空間        １１    主仕切ユニット
１１ａ    底板                                １１ｂ  側板
１１ｃ    開放端                            １２    副仕切ユニット
１２ａ    底板                                １２ｂ  側板
１２ｃ    開放端                            ２１    主仕切ユニット
２１ａ    底板                                ２１ｂ  側板
２１ｃ    開放端                            ２１ｄ  短辺側板
２２    副仕切ユニット                ２１ａ  底板
２１ｂ    側板                                ２１ｃ  開放端
２２ｄ    短辺側板                        ３１    小型内部仕切板
【図１】
2004321674.tif 000003
【図２】
2004321674.tif 000004
【図３】
2004321674.tif 000005
【図４】
2004321674.tif 000006
【図５】
2004321674.tif 000007
【図６】
2004321674.tif 000008
【図７】
2004321674.tif 000009